(57)【要約】【課題】  通常は冷蔵庫の扉を透視遮断状態とし、必要時に透明な状態として冷蔵庫内部を外部から見ることができようにして、扉を閉じた状態において外部から取り出す収納物品を探せるようにする。【解決手段】  冷蔵庫本体に透明の扉２が取り付けられ、その扉２に一体に自身の透視を遮断状態とできる透視遮断手段８が備えられてなる冷蔵庫。【選択図】  図１
2006214707.tif 000002
【特許請求の範囲】
【請求項１】
冷蔵庫本体に透明の扉が取り付けられ、その扉に一体に自身の透視を遮断状態とできる透視遮断手段が備えられてなることを特徴とする冷蔵庫。
【発明の詳細な説明】
【技術分野】
【０００１】  この発明は冷蔵庫の扉構造に関する。
【背景技術】
【０００２】  冷蔵庫扉を長く開くと内部の冷気が放出され冷却機能が損なわれ、夏期においては冷却が十分に行なわれなくなり、また、使用電力が増えることで電気料金が高くなるという問題がある。しかしながら、実際には扉を開いた状態において取り出す収納物品を探す場合が多く、どうしても扉の開き時間が長くなる。このような問題を解消するものとして、例えば、扉の内側に透明のカーテン状のものを配置し、扉を開いた状態においてそれを通して内部が見られるようにしたものが提案されている。しかしながら、物品を取り出すにはそのカーテン状のものが邪魔となり、また、カーテン状のもの場合冷気の遮断が十分に行なわれなかった。
【発明の開示】
【発明が解決しようとする課題】
【０００３】  この発明では、必要時に扉を透視できるようにして扉を開くことなく内部の収納物品を見ることが可能な冷蔵庫を提供することを目的とする。
【課題を解決するための手段】
【０００４】  上記目的を達成するために、この発明では、冷蔵庫本体に透明の扉が取り付けられ、その扉に一体に自身の透視を遮断状態とできる透視遮断手段が備えられてなる冷蔵庫を提供する。【０００５】  上記構成によれば、通常は扉を透視遮断状態とし、必要時に透明な状態として冷蔵庫内部を外部から見ることができる。
【発明の効果】
【０００６】  この発明によれば、扉を閉じた状態において外部から取り出す収納物品を探せるようになり、これにより、扉を開く時間が短くでき、その結果、冷却能力が安定するとともに電気料金が節約される冷蔵庫が得られるようになる。
【発明を実施するための最良の形態】
【０００７】  図１はこの発明の冷蔵庫の第１の実施形態の外観を示す斜視図、図２は扉部分の一部省略断面図である。冷蔵庫１の前面に取り付けられる扉２は、フレーム３内に内側ガラス４と外側ガラス５とが真空スペース６を介して取り付けられ、外側ガラス４のさらに外側には透視遮断手段としてのシャッター８が設けられている。上記真空スペース６は断熱機能を発揮しここで冷蔵庫１内部と外部との熱伝導を阻止することで冷蔵庫１の冷却機能の低下を回避し、また、真空であることで内部に結露が発生しない構成とされている。また、内側ガラス４の内面側には収納部を設けない構成として、シャッター８を開いた状態において冷蔵庫１内部の収納物品２０がよく見える構成としている。【０００８】  上記シャッター８は上下端縁がフレーム３に取り付けられた一対のレール１０内に納められ、取っ手１２が持たれて横方向にレール１０に沿って移動されることで引き戸と同様に開かれる。レール１０は、図３にも示すように、冷蔵庫１の一方側の側面にも取り付けられ、シャッター８の取っ手１２の設けられていない側の端部はそのレール１０部分に納められていて、シャッター８が開かれた際にはその端部側はそのレール１０部分に沿って後方に移動する。シヤッター８は連接構成により折れ曲がりが可能で、上下端面には移動がスムーズになされるためのローラー１４が取り付けられている。【０００９】  上記冷蔵庫１は扉２が開かれない場合にはシャッター８も閉じられた状態で使用され、これにより一般の冷蔵庫と同様に内部の収納物品２０は見えなくて見栄えが良い。収納物品２０を取り出す際には取っ手１８を持って扉２を開くが、その際所望の収納物品２０が冷蔵庫１内に有り、かつ、その収納位置が明確に把握されている場合にはシャッター８を開くことなく扉２を直接開いて収納物品２０を取り出す。その際、シャッター８は冷蔵庫１の扉２が軸支されるコーナー位置において曲がり状態から直線状に形態を変え、これにより、扉２は支障なく開かれる。【００１０】  これに対し、所望の収納物品２０が冷蔵庫１内あることが不確かで、また、その収納位置が明確でない場合には、取っ手１２を持ってシャッター８を開け、扉２を通して内部を見ることでその収納物品２０を予め見つけ、その後に扉２を開けてそれを取り出す。これにより、扉２を開いたまま収納物品２０を探すようなことがなくなり、冷蔵庫１内からの冷気の無駄な放出が防がれて冷却機能の低下が抑えられ、また、使用電力も節約される。とくに高齢になると物忘れが多くなって収納物品２０を探すため無駄に扉２を開く回数が多くなり、その扉２を開くのにも結構力を要するが、この実施形態のものでは容易にシャッター８を開くことで収納物品２０の確認が行なえるので、扉２の開き回数も少なくできて使用が楽となる。【００１１】  図４はこの発明の冷蔵庫の第２の実施形態の外観を示す斜視図、図５は扉部分の部分断面図である。この実施形態では透視遮断手段として扉の内側ガラス４と外側ガラス５との間にブラインド３０を設けている。ブラインド３０を構成するブラインドプレート３１それぞれの端部にはギヤ３３が装着され、それらギヤ３３が図示しないモータにより作動されるラックギヤ３５に歯合し��同様に回転されることでブラインドプレート３１それぞれも同様に回転し、図６に示すように、ブラインドプレート３１それぞれが水平に位置する状態において冷蔵庫１内部が見える構成とされている。取っ手１８にはタッチスイッチ３７が設けられ、このタッチスイッチ３７に触れることでモータが作動されてブラインド３０は自動的に開かれ、再度触れることで閉じられる。この実施形態のものも第１の実施形態のものと同様に使用される。また、リモートコントロールスイッチを併用することで、調理台位置等の離れた位置から扉２を透視できるようにして冷蔵庫１内を見ることができる。【００１２】  図７はこの発明の冷蔵庫の第３の実施形態の外観を示す斜視図、図８は扉部分の部分断面図である。この実施形態では扉２の外側ガラス５の内側全面に透明の樹脂よりなる透視遮光手段としての扁平のケース４１を取り付け、このケース４１内の隙間４３に着色液５０を導入することで扉２の透視を遮断できるようにしている。図９は透視遮断ユニット４０を示し、上記ケース４１、着色液５０のタンク４３、着色液５０の移動用ポンプ４４、エアポンプ４５とよりなり、タンク４３、移動用ポンプ４４、エアポンプ４５のそれぞれは冷蔵庫１の本体側に取り付けられる。【００１３】  通常はケース４１内の隙間４３に着色液５０が満たされることで扉２は図７に示すように不透明な状態とされるもので、着色液５０としては意匠性に優れる色合いのものが用いられる。取っ手１８には第２の実施形態のものと同様にタッチスイッチ３７が設けられ、このタッチスイッチ３７に触れることで移動用ポンプ４４、エアポンプ４５がともに作動され、エアポンプ４５の作動による加圧作用と移動用ポンプ４４の着色液５０の吸入作用によりケース４１内隙間４３の着色液５０はタンク４３内に移動される。ケース４１内隙間５０は薄くて容量が小さく、移動用ポンプ４４、エアポンプ４５がともに作動されることで、ケース４１内隙間４３着色液５０は１秒ぐらいで排出移動される。そして、扉２が透明となった状態において冷蔵庫１の内部が見えるようになる。また、第２の実施形態のものと同様にリモートコントロールスッチを併用することで便利に使用できる。
【図面の簡単な説明】
【図１】  この発明の冷蔵庫の第１の実施形態の外観斜視図
【図２】  この発明の冷蔵庫の第１の実施形態における扉の一部省略断面図
【図３】  この発明の冷蔵庫の第１の実施形態の平面図
【図４】  この発明の冷蔵庫の第２の実施形態の外観斜視図
【図５】  この発明の冷蔵庫の第２の実施形態における扉の一部省略断面図
【図６】  この発明の冷蔵庫の第２の実施形態における扉の一部省略断面図
【図７】  この発明の冷蔵庫の第３の実施形態の外観斜視図
【図８】  この発明の冷蔵庫の第３の実施形態における扉の一部省略断面図
【図９】  この発明の冷蔵庫の第３の実施形態に使用する透視遮断ユニットの斜視図
【符号の説明】
１    冷蔵庫
２    扉
８    シャッター（透視遮断手段）
【図１】
2006214707.tif 000003
【図２】
2006214707.tif 000004
【図３】
2006214707.tif 000005
【図４】
2006214707.tif 000006
【図５】
2006214707.tif 000007
【図６】
2006214707.tif 000008
【図７】
2006214707.tif 000009
【図８】
2006214707.tif 000010
【図９】
2006214707.tif 000011